(57)【要約】【課題】視認性が良好で消費電力を抑制することができる電子楽器の表示装置を提供する。【解決手段】論理ゲートＧ２の入力電位は瞬時にＨに上昇するが、その後コンデンサＣ１と抵抗Ｒ３との時定数による放電カーブで徐々に低下する。論理ゲートＧ２の入力電位が、スレッショルドの電位より高い場合は、トランジスタＴｒ１をオンにする。したがって、ＬＥＤ１のカソードは、抵抗Ｒ２を介して接地される。一方、出力Ｑは、Ｌであるので、ＬＥＤ１のカソードは、抵抗Ｒ１とダイオードＤ１を介して接地されるので、抵抗Ｒ１とＲ２とで並列に接地されることになり、ＬＥＤ１は、明るく（第１の明るさで）点灯する。論理ゲートＧ２の入力電位が徐々に降下し、スレッショルドの電位より低くなるとトランジスタＴｒ１をオフにする。したがって、ＬＥＤ１は、第１の明るさ（第１の態様）より暗い第２の明るさ（第２の態様）になる。【選択図】図１
2007163819.tif 000002
【特許請求の範囲】
【請求項１】
所定の機能をオンオフする操作子と、その操作子の操作に応じてオンオフ状態を表示する表示器とを備えた電子楽器の表示装置において、
前記操作子の操作に応じて所定時間の計時を開始する計時手段と、
前記操作子のオン操作に応じて前記表示器を第１の態様で表示し、前記計時手段により所定時間を計時した場合は、前記表示器を前記第１の態様とは異なる第２の態様で表示し、前記操作子のオフ操作に応じて前記表示器を第３の態様で表示するように制御する制御手段とを備えていることを特徴とする電子楽器の表示装置。
【請求項２】
前記制御手段は、前記操作子のオン操作に応じて前記表示器を第１の明るさで点灯し、前記計時手段により所定時間を計時した場合は、前記表示器を第１の明るさより暗い第２の明るさで点灯することを特徴とする請求項１記載の電子楽器の表示装置。
【請求項３】
前記制御手段は、前記操作子のオン操作に応じて前記表示器を点滅し、前記計時手段により所定時間を計時した場合は、前記表示器を一定の明るさで点灯することを特徴とする請求項１記載の電子楽器の表示装置。
【請求項４】
電池を備え、その電池により前記表示器に電力を供給するとともに、その電池を電源とすることを特徴とする請求項１から３のいずれかに記載の電子楽器の表示装置。
【請求項５】
楽音を入力する入力手段と、
その入力手段により入力された楽音に効果を付与する効果付与手段とを備え、前記制御手段は、前記操作子のオン操作に応じて前記入力手段に入力された楽音に効果を付与し、前記操作子のオフ操作に応じて前記入力手段に入力された楽音に効果を付与しないように前記効果付与手段を制御することを特徴とする請求項１から４のいずれかに記載の電子楽器の表示装置。
【請求項６】
前記制御手段は、前記操作子のオフ操作に応じて前記表示器を消灯することを特徴とする請求項１から５のいずれかに記載の電子楽器の表示装置。
【請求項７】
前記制御手段は、前記操作子のオフ操作に応じて前記表示器を第２の態様とは異なる態様で表示し、前記計時手段により所定時間を計時した場合は、消灯することを特徴とする請求項１から５のいずれかに記載の電子楽器の表示装置。
【発明の詳細な説明】
【技術分野】
【０００１】
本発明は、視認性が良好で消費電力を抑制することができる電子楽器の表示装置に関する。
【背景技術】
【０００２】
従来、電子楽器においてペダル等の操作子を操作してスイッチをオンオフし、楽音に付与する効果をオンオフしたり、効果のパラメータを変更したりする操作子が知られている。これらの装置では、スイッチがオンされた場合は、効果をオンにするとともにＬＥＤなどの表示器を点灯し、スイッチがオフされた場合は、その効果をオフにするとともにそのＬＥＤを消灯することにより、効果のオンまたはオフを表示するものであった。特に、ライブ演奏を行うステージ上では、照明が明るく表示器を照らす場合や、照明が当たらずに暗く、見づらい場合があり、変化したことを明確に表示する表示器が求められている。
【特許文献１】特開２００４−２５８２４４号公報
【発明の開示】
【発明が解決しようとする課題】
【０００３】
しかしながら、上記公報に開示された装置では、効果などの機能をオンに設定している間は、ＬＥＤ（Light Emitting
Diode ）などの表示器を常時点灯し、視認性を良好にするために明るく点灯すると、消費電力が大きくなるという問題点があった。特に、電気ギターなどを演奏する場合に、足でペダル操作を行う効果装置（エフェクタ）では、電池を電源として使用しているため、電池が速く消耗し、演奏中に電池切れを起こしたり、頻繁に交換しなければならないという欠点があった。
【０００４】
本発明は、上述した問題点を解決するためになされたものであり、視認性が良好で消費電力を抑制することができる電子楽器の表示装置を提供することを目的とする。
【課題を解決するための手段】
【０００５】
この目的を達成するために、請求項１記載の電子楽器の表示装置は、所定の機能をオンオフする操作子と、その操作子の操作に応じてオンオフ状態を表示する表示器とを備えたものであり、前記操作子の操作に応じて所定時間の計時を開始する計時手段と、前記操作子のオン操作に応じて前記表示器を第１の態様で表示し、前記計時手段により所定時間を計時した場合は、前記表示器を前記第１の態様とは異なる第２の態様で表示し、前記操作子のオフ操作に応じて前記表示器を第３の態様で表示するように制御する制御手段とを備えている。
【０００６】
請求項２記載の電子楽器の表示装置は、請求項１記載の電子楽器の表示装置において、前記制御手段は、前記操作子のオン操作に応じて前記表示器を第１の明るさで点灯し、前記計時手段により所定時間を計時した場合は、前記表示器を第１の明るさより暗い第２の明るさで点灯する。
【０００７】
請求項３記載の電子楽器の表示装置は、請求項１記載の電子楽器の表示装置において、前記制御手段は、前記操作子のオン操作に応じて前記表示器を点滅し、前記計時手段により所定時間を計時した場合は、前記表示器を一定の明るさで点灯する。
【０００８】
請求項４記載の電子楽器の表示装置は、請求項１から３のいずれかに記載の電子楽器の表示装置において、電池を備え、その電池により前記表示器に電力を供給するとともに、その電池を電源とする。
【０００９】
請求項５記載の電子楽器の表示装置は、請求項１から４のいずれかに記載の電子楽器の表示装置において、楽音を入力する入力手段と、その入力手段により入力された楽音に効果を付与する効果付与手段とを備え、前記制御手段は、前記操作子のオン操作に応じて前記入力手段に入力された楽音に効果を付与し、前記操作子のオフ操作に応じて前記入力手段に入力された楽音に効果を付与しないように前記効果付与手段を制御する。
【００１０】
請求項６記載の電子楽器の表示装置は、請求項１から５のいずれかに記載の電子楽器の表示装置において、前記制御手段は、前記操作子のオフ操作に応じて前記表示器を消灯する。
【００１１】
請求項７記載の電子楽器の表示装置は、請求項１から５のいずれかに記載の電子楽器の表示装置において、前記制御手段は、前記操作子のオフ操作に応じて前記表示器を第２の態様とは異なる態様で表示し、前記計時手段により所定時間を計時した場合は、消灯する。
【発明の効果】
【００１２】
請求項１記載の電子楽器の表示装置によれば、操作子のオン操作に応じて所定時間の計時を開始する計時手段と、操作子のオン操作に応じて表示器を第１の態様で表示し、計時手段により所定時間を計時した場合は、表示器を第１の態様とは異なる第２の態様で表示する制御手段とを備えているので、オン操作が行われた場合は、機能の設定の視認性を向上することができるという効果がある。
【００１３】
請求項２記載の電子楽器の表示装置によれば、請求項１記載の電子楽器の表示装置の奏する効果に加え、制御手段は、操作子のオン操作に応じて表示器を第１の明るさで点灯し、計時手段により所定時間を計時した場合は、表示器を第１の明るさより暗い第２の明るさで点灯するので、オン操作が行われた場合は、機能の設定の視認性を向上することができるとともに、消費電力を抑制することができるという効果がある。
【００１４】
請求項３記載の電子楽器の表示装置によれば、請求項１記載の電子楽器の表示装置の奏する効果に加え、制御手段は、操作子のオン操作に応じて表示器を点滅し、計時手段により所定時間を計時した場合は、表示器を一定の明るさで点灯するので、オン操作が行われた場合は、機能の設定の視認性を向上することができるとともに、消費電力を抑制することができるという効果がある。
【００１５】
請求項４記載の電子楽器の表示装置によれば、請求項１から３のいずれかに記載の電子楽器の表示装置の奏する効果に加え、電池を備え、その電池により表示器に電力を供給するとともに、その電池を電源とするので、電池の消耗を抑制することができ、演奏中に電池が消耗することを防止したり、電池の交換の頻度を低くすることができるという効果がある。
【００１６】
請求項５記載の電子楽器の表示装置によれば、請求項１から４のいずれかに記載の電子楽器の表示装置の奏する効果に加え、楽音を入力する入力手段と、その入力手段により入力された楽音に効果を付与する効果付与手段とを備え、制御手段は、操作子のオン操作に応じて入力手段に入力された楽音に効果を付与し、操作子のオフ操作に応じて入力手段に入力された楽音に効果を付与しないように効果付与手段を制御するので、ペダルなどにより操作されて効果の付与をオンオフする機能を備えている装置において、効果のオンオフの視認を容易にするとともに、消費電力を抑制することができるという効果がある。
【００１７】
請求項６記載の電子楽器の表示装置によれば、請求項１から５のいずれかに記載の電子楽器の表示装置の奏する効果に加え、制御手段は、操作子のオフ操作に応じて表示器を消灯するので、操作子のオフ操作に応じて機能がオフされたことを容易に視認することができるという効果がある。
【００１８】
請求項７記載の電子楽器の表示装置によれば、請求項１から５のいずれかに記載の電子楽器の表示装置の奏する効果に加え、制御手段は、操作子のオフ操作に応じて表示器を第２の態様とは異なる態様で所定時間表示し、計時手段により所定時間を計時した場合は、消灯するので、操作子のオフ操作に応じて機能がオフされたことを容易に視認することができるという効果がある。
【発明を実施するための最良の形態】
【００１９】
以下、本発明の好ましい実施例について、添付図面を参照して説明する。図１は、本発明の第１の実施形態による電子楽器１の電気ブロック図である。電子楽器１は、スイッチＳＷ１と、抵抗Ｒ１〜Ｒ６と、コンデンサＣ１，Ｃ２と、Ｔ型フリップフロップ３と、ダイオードＤ１，Ｄ２と、トランジスタＴｒ１と、ＬＥＤ１と、ツエナーダイオードＺＤ１と、論理ゲートＧ１〜Ｇ３と、電池Ｂ１と、効果付与回路５とを備えて構成されている。
【００２０】
スイッチＳＷ１は、自己復帰型のスイッチであり、操作部を押下すると２つの端子が短絡し、操作部を放すとバネなどにより操作部が上昇して２つの端子が接続されない状態に保持される。一方の端子は、接地され、他方の端子は、抵抗Ｒ４を介してＴ型フリップフロップ３のＴ端子に入力され、このＴ端子は、抵抗Ｒ５を介して電池Ｂ１の正極に接続されるとともに、Ｔ端子は、コンデンサＣ２を介して接地されている。
【００２１】
したがって、Ｔ端子は、常態では正極の電位となり、スイッチＳＷを押下すると抵抗Ｒ４とＲ５との分圧電位に降下し、スイッチＳＷ１を放すと、正極に戻る。Ｔ型フリップフロップ３は、Ｔ端子が正極に戻る度に、出力の電位が反転するトグル動作を行うものである。よって、Ｔ型フリップフロップ３の出力Ｑ（出力Ｑバーは、出力Ｑの反転）は、スイッチＳＷ１が押下される度に、正極と接地とに交互に反転する。
【００２２】
Ｔ型フリップフロップ３の出力Ｑ（以下、出力Ｑと略す）は、ダイオードＤ１のカソードと、論理ゲートＧ１の入力に接続され、出力Ｑバーは、効果付与回路５に接続されている。
【００２３】
効果付与回路５は、入力端子ＩＮに入力された楽音信号にディレイやディストーションなどの効果を付与し、出力端子ＯＵＴに出力するものであり、出力Ｑバーが正極電位（以下、Ｈと略す）の場合は、効果を付与して出力し、出力Ｑバーが接地電位（以下、Ｌと略す）の場合は、効果を付与せずに入力された楽音信号を直接出力するように構成されている。
【００２４】
ダイオードＤ１のアノードは、抵抗Ｒ１を介して、ＬＥＤ１のカソードと、抵抗Ｒ２の一端に接続され、ＬＥＤ１のアノードは、ツエナーダイオードＺＤ１のアノードに接続され、ツエナーダイオードのカソードは、電池Ｂ１の正極に接続され、電池Ｂ１の負極は、接地されている。抵抗Ｒ２の他端は、トランジスタＴｒ１のコレクタに接続され、トランジスタＴｒ１のベースは、抵抗Ｒ６の一端に接続され、Ｔｒ１のエミッタは、接地されている。
【００２５】
論理ゲートＧ１〜Ｇ３は、入力を反転して出力するもので、論理ゲートＧ１の出力は、コンデンサＣ１の一端とダイオードＤ１のカソードに接続され、ダイオードＤ２のアノードとコンデンサＣ２の他端とは、抵抗Ｒ３を介して接地されるとともに、論理ゲートＧ２、Ｇ３を介して抵抗Ｒ６の他端に接続されている。
【００２６】
電池Ｂ１は、電子楽器１の電源であり、効果付与回路５にも電力を供給している。スイッチＳＷ１が操作されて、効果付与回路５における効果付与が行われるように設定された場合は、所定の時間だけＬＥＤ１は、明るく（第１の明るさで）点灯され、所定の時間が経過すると、第１の明るさよりは暗い明るさ（第２の明るさ）で点灯される。ツエナーダイオードＺＤ１は、ＬＥＤ１の点灯電圧を設定するものであり、電池が消耗してＬＥＤ１が、第１の明るさ、または第２の明るさで点灯しなくなったことにより電池の消耗を使用者に認知させるように構成されている。
【００２７】
出力Ｑが、ＨからＬに変化すると、論理ゲートＧ１の出力は、ＬからＨになり、コンデンサＣ１を介して論理ゲートＧ２の入力電位は瞬時にＨに上昇するが、その後コンデンサＣ１と抵抗Ｒ３との時定数による放電カーブで徐々に低下する。論理ゲートＧ２の入力電位が、スレッショルドの電位より高い場合は、論理ゲートＧ２の出力は、Ｌとなり、論理ゲートＧ３が反転して、抵抗Ｒ６を介してトランジスタＴｒ１をオンにする。したがって、ＬＥＤ１のカソードは、抵抗Ｒ２を介して接地される。
【００２８】
一方、出力Ｑは、Ｌであるので、ＬＥＤ１のカソードは、抵抗Ｒ１とダイオードＤ１を介して接地されるので、抵抗Ｒ１とＲ２とで並列に接地されることになり、ＬＥＤ１は、明るく（第１の明るさで）点灯する。
【００２９】
論理ゲートＧ２の入力電位が徐々に降下し、スレッショルドの電位より低くなると論理ゲートＧ２の出力は、Ｌとなり論理ゲートＧ３が反転して、抵抗Ｒ６を介してトランジスタＴｒ１をオフにする。したがって、ＬＥＤ１のカソードは、抵抗Ｒ２を介して接地されなくなり、抵抗Ｒ１のみにより接地され、ＬＥＤ１は、第１の明るさ（第１の態様）より暗い第２の明るさ（第２の態様）になり、次にスイッチＳＷ１が操作されるまでこの状態が維持される。
【００３０】
次に、スイッチＳＷ１が操作されると、出力Ｑは、ＬからＨになり、抵抗Ｒ１は、ダイオードＤ１を介して接地されなくなるとともに、トランジスタＴｒ１は、オフの状態で維持されるので、抵抗Ｒ２も接地されないのでＬＥＤ１のカソードは、Ｈとなって消灯される。
【００３１】
以上、第１の実施形態に基づいて説明したように、スイッチＳＷ１により効果付与回路５による効果の付与を行うように操作された場合は、所定の時間だけ、ＬＥＤ１は、第１の明るさで点灯され、所定の時間を経過すると、第１の明るさよりは暗い第２の明るさで点灯される。よって、オン操作を行った場合は、明るく点灯され、視認性を向上させることができるとともに、所定時間後は、第１の明るさより暗い明るさで点灯され、消費電力を抑制することができる。なお、所定時間は、コンデンサＣ１と抵抗Ｒ３とにより形成される時定数により設定され、この構成が請求項に記載の計時手段に該当する。
【００３２】
次に、図２と図３とを参照して、第２の実施形態について説明する。第１の実施形態では、アナログ回路により、ＬＥＤ１の明るさ、点灯および消灯を制御するものであったが、第２の実施形態では、ＣＰＵによりＬＥＤ１の明るさ、点灯、消灯を制御する。なお、第１の実施形態と同一部分については、同一の符号を付し、その説明を省略する。
【００３３】
図２は、第２の実施形態による電子楽器１の電気ブロック図である。電子楽器１は、スイッチＳＷ１と、抵抗Ｒ１、Ｒ２、Ｒ４，Ｒ５，Ｒ６およびＲ７と、コンデンサＣ２と、トランジスタＴｒ１およびＴｒ２と、ＬＥＤ１と、ツエナーダイオードＺＤ１と、ＣＰＵ１１と、ＲＡＭ１２と、ＲＯＭ１３と、Ａ／Ｄ変換器１４と、ＤＳＰ１５と、Ｄ／Ａ変換器１６と、電池Ｂ１とを備えて構成されている。
【００３４】
スイッチＳＷ１は、抵抗Ｒ４を介してＣＰＵ１１の入力ポートＰ３に接続されている。ＣＰＵ１１の出力ポートＰ１は、抵抗Ｒ７を介してトランジスタＴｒ２のベースに接続され、Ｔｒ２のコレクタは、抵抗Ｒ１を介してＬＥＤ１のカソードと抵抗Ｒ２の一端とに接続され、トランジスタＴｒ２のエミッタは、接地されている。同様に、ＣＰＵ１１の出力ポートＰ２は、抵抗Ｒ６を介してトランジスタＴｒ１のベースに接続され、トランジスタＴｒ１のコレクタは、抵抗Ｒ２を介してＬＥＤ１のカソードと抵抗Ｒ１の一端とに接続され、Ｔｒ１のエミッタは、接地されている。
【００３５】
ＣＰＵ１１と、ＲＡＭ１２と、ＲＯＭ１３と、ＤＳＰ１５とは、バスを介して相互に接続されている。ＣＰＵ１１は、ＲＯＭ１３に記憶されたプログラムを実行することにより、スイッチＳＷ１の操作を検出し、ＤＳＰ１５を制御するとともに、ＬＥＤ１の点灯制御を行う。ＣＰＵ１１は、タイマ１１ａを内蔵し、スイッチＳＷ１がオンまたはオフ操作された時に時間の計時を開始し、所定の時間を計時した場合は、ＣＰＵ１１に報知する。
【００３６】
ＲＡＭ１２は、ＣＰＵ１１がＲＯＭ１３に記憶されたプログラムを実行する際に変数などを一時記憶する書き換え可能なランダムにアクセスできるメモリであり、フラグを記憶するフラグメモリ１２ａを備えている。フラグメモリ１２ａに記憶されるフラグは、「１」の時、ＤＳＰ１５により効果を付与する状態を示し、「０」の時、効果を付与しない状態を示すものである。
【００３７】
入力端子ＩＮに入力された楽音信号は、Ａ／Ｄ変換器１４により所定のサンプリング周波数でデジタル信号に変換されて、ＤＳＰ１５に入力される。ＤＳＰ１５は、デジタル信号処理装置であり、入力信号にディレイやディストーションなどの効果付与処理を行うものである。
【００３８】
次に、図３を参照して、ＣＰＵ１１が実行する処理について説明する。図３は、ＣＰＵ１１が実行する処理を示すフローチャートである。この処理は、電子楽器１の電源が投入されたとき起動され、まずフラグメモリ１２ａに記憶されるフラグを「０」に設定する（Ｓ１）とともに、効果を付与しない（オフ）ようにＤＳＰ１５に指示を行う（Ｓ２）。
【００３９】
次に、入力ポートＰ３を検出しスイッチＳＷ１が、操作されたか否かを判断する（Ｓ３）。スイッチＳＷ１が操作された場合は（Ｓ３：Ｙｅｓ）、フラグは「１」であるか否かを判断する（Ｓ４）。フラグが「１」である場合は（Ｓ４：Ｙｅｓ）、フラグを「０」に設定し（Ｓ５）、効果を付与しない（オフ）ようにＤＳＰ１５に指示を行う（Ｓ６）。
【００４０】
Ｓ４の判断処理において、フラグが「１」ではなく「０」である場合は（Ｓ４：Ｎｏ）、フラグを「１」に設定し（Ｓ７）、効果を付与する（オン）ようにＤＳＰ１５に指示を行う（Ｓ８）。Ｓ６またはＳ８の処理を行うとＬＥＤ１を明るく（第１の明るさ）点灯する。具体的には、出力ポートＰ１およびＰ２をＨに設定する。これにより、Ｔｒ１およびＴｒ２が、オンとなり、ＬＥＤ１のカソードは、抵抗Ｒ１とＲ２とが並列に接地される（Ｓ９）。次に、タイマ１１ａが所定時間の計時を開始するように設定し（Ｓ１０）、Ｓ３の処理に戻る。
【００４１】
Ｓ３の判断処理において、スイッチＳＷ１が操作されたのではない場合は（Ｓ３：Ｎｏ）、タイマ１１ａが所定時間を計時したか否かを判断する（Ｓ１１）。タイマ１１ａが所定時間を計時した場合は（Ｓ１１：Ｙｅｓ）、フラグが「１」であるか否かを判断し（Ｓ１２）、フラグが「１」である場合は（Ｓ１２：Ｙｅｓ）、ＬＥＤ１を暗く点灯する（Ｓ１３）。具体的には、ＣＰＵ１１の出力ポートＰ１は、Ｈのままとし、Ｐ２をＬに変更する。このことにより、トランジスタＴｒ１は、オフになり、抵抗Ｒ２は、接地されなくなるので、ＬＥＤ１のカソードは、抵抗Ｒ１のみを介して接地される。従って、ＬＥＤ１は、第１の明るさより暗い第２の明るさで点灯することになる。
【００４２】
一方、Ｓ１２の判断処理において、フラグが「１」ではなく「０」である場合は（Ｓ１２：Ｎｏ）、ＬＥＤ１を消灯する（Ｓ１４）。具体的には、ＣＰＵ１１の出力ポートＰ１およびＰ２をＬに変更する。このことにより、トランジスタＴｒ１およびＴｒ２は、オフになり、抵抗Ｒ１およびＲ２は、接地されなくなるので、ＬＥＤ１のカソードは、ＨとなりＬＥＤ１は、消灯することになる。Ｓ１１の判断処理において、タイマ１１ａが所定時間を計時したのではない場合は（Ｓ１１：Ｎｏ）、その他の処理を行う（Ｓ１５）。その他の処理としては、効果のパラメータを設定する操作を検出してその操作に応じたパラメータを変更するなどの処理である。Ｓ１３、Ｓ１４またはＳ１５の処理を終了した場合は、Ｓ３の処理に戻る。
【００４３】
以上、第２の実施形態に基づいて説明したように、スイッチＳＷ１により、効果がオンになるように操作された場合は、効果がオンになるようにＤＳＰ１５を設定し、所定時間だけＬＥＤ１を明るく点灯し、所定時間が経過した場合は、ＬＥＤ１を暗く点灯する。効果がオフになるように操作された場合は、効果がオフになるようにＤＳＰ１５を設定し、所定時間だけＬＥＤ１を明るく点灯した後、消灯する。したがって、ステージなどの明るい照明が行われている場合や、逆に照明が暗い場合であっても、効果の切替え設定の視認性を向上させることができるとともに、効果がオンの場合には、所定時間後に暗く点灯されるので、消費電力を抑制することができる。
【００４４】
以上、上記実施形態に基づき本発明を説明したが、本発明は、上記実施形態に何ら限定されるものでなく、本発明の趣旨を逸脱しない範囲内で種々の改良変形が可能であることは容易に推察できるものである。
【００４５】
例えば、上記実施形態では、スイッチＳＷ１の操作により効果オンに設定された場合は、ＬＥＤ１を所定時間だけ明るく点灯し、所定時間後は暗く点灯するものとしたが、効果がオンに設定された場合は、所定時間だけＬＥＤ１を点滅し、所定時間後は、所定の一定の明るさで点灯するようにしてもよい。
【００４６】
また、上記実施形態では、表示器は、ＬＥＤであるものとしたが、ＬＣＤ（液晶表示器）などの他の表示器としてもよい。その場合に、効果のオンオフ切り替え時に、表示態様を変えるようにしてもよい。
【００４７】
また、上記実施形態では、表示器の表示態様として、明るさを変化する場合や、常時点灯する場合と、点滅する場合とについて例示したが、表示色を変化したり、文字や図形を表示する場合には、文字や図形の形状を変化したり、これらの表示が静止して表示する場合と、表示がスクロールするなどのような場合とで変化するようにしてもよい。
【００４８】
また、上記実施形態では、電子楽器１の電源は電池Ｂ１により供給するものとしたが、商用電源により供給するものとしてもよい。
【００４９】
また、上記実施形態では、スイッチＳＷ１の操作により効果のオンオフを切替えるものとしたが、電源のオンオフを切替えたり、楽音の出力のオンオフを切替えるなどの他の機能のオンオフを切替えるようにしてもよい。
【００５０】
また、上記実施形態では、スイッチＳＷ１は、自己復帰型のスイッチとしたが、復帰しないタイプでオンオフを切り替えることができるものでもよい。
【００５１】
また、上記第２の実施形態では、スイッチＳＷ１がオフ操作された場合、表示器は、オンされた場合と同じく所定時間だけ明るく点灯するものとしたが、オフされた場合の表示態様を、オンされた場合の表示態様とは異なるようにしてもよい。例えば、操作子がオンされた場合は、所定時間だけ明るく点灯し、所定時間後暗く点灯する。オフ操作された場合は、所定時間だけ点滅し、所定時間後に消灯するようにしてもよい。また、スイッチＳＷ１がオン操作された場合にタイマ１１ａにより計時される所定時間と、スイッチＳＷ１がオフ操作された場合に計時される所定時間とは、同一の時間としたが、異なる時間を計時するようにしてもよい。
【図面の簡単な説明】
【００５２】
【図１】本発明の第１の実施形態における電子楽器のブロック図である。
【図２】本発明の第２の実施形態における電子楽器のブロック図である。
【図３】第２の実施形態におけるメイン処理を示すフローチャートである
【符号の説明】
【００５３】
１                  電子楽器
５                  効果付与回路
１１               
ＣＰＵ（制御手段）
１１ａ              タイマ（計時手段）
Ｂ１                電池
ＬＥＤ１            ＬＥＤ（表示器）
ＳＷ１              スイッチ（操作子）
【図１】
2007163819.tif 000003
【図２】
2007163819.tif 000004
【図３】
2007163819.tif 000005